(57)【要約】【課題】譲渡や破棄の際の作業の手間を大幅に軽減することのできる通信端末装置を提供すること目的とする。【解決手段】ユーザ登録情報を記憶したユーザ登録情報記憶手段と、通信履歴情報を記憶した通信履歴情報記憶手段を備えた通信端末装置において、所定のユーザ識別情報が入力され、情報消去が指令されたときには、上記通信履歴情報記憶手段に記憶した全ての通信履歴情報を消去するようにしたので、通信端末装置の譲渡や破棄を行う場合、ユーザーは容易に内部情報を消去することができ、確実に装置内部の重要な情報の流出を防ぎ、セキュリティを確保することが可能となるとともに、ユーザーの満足度と利便性を向上させることができる。【選択図】        図１
2006080633.tif 000002
【特許請求の範囲】
【請求項１】
ユーザ登録情報を記憶したユーザ登録情報記憶手段と、通信履歴情報を記憶した通信履歴情報記憶手段を備えた通信端末装置において、
所定のユーザ識別情報が入力され、情報消去が指令されたときには、上記通信履歴情報記憶手段に記憶した全ての通信履歴情報を消去することを特徴とする通信端末装置。
【請求項２】
ユーザ登録情報を記憶したユーザ登録情報記憶手段と、通信履歴情報を記憶した通信履歴情報記憶手段を備えた通信端末装置において、
所定のユーザ識別情報が入力され、情報消去が指令されたときには、上記ユーザ登録情報記憶手段に記憶した全てのユーザ登録情報、および、上記通信履歴情報記憶手段に記憶した全ての通信履歴情報を消去することを特徴とする通信端末装置。
【請求項３】
ユーザ登録情報を記憶したユーザ登録情報記憶手段と、通信履歴情報を記憶した通信履歴情報記憶手段を備えた通信端末装置において、
所定のユーザ識別情報が入力され、上記通信履歴情報記憶手段に記憶した通信履歴情報が選択され、情報消去が指令されたときには、その選択された通信履歴情報を、上記通信履歴情報記憶手段から消去することを特徴とする通信端末装置。
【請求項４】
ユーザ登録情報を記憶したユーザ登録情報記憶手段と、通信履歴情報を記憶した通信履歴情報記憶手段を備えた通信端末装置において、
所定のユーザ識別情報が入力され、情報消去が指令されたときには、上記ユーザ登録情報記憶手段に記憶した全てのユーザ登録情報、および、上記通信履歴情報記憶手段に記憶した通信履歴情報のうち、消去されたユーザ登録情報に関連するものを消去することを特徴とする通信端末装置。
【請求項５】
ユーザ登録情報を記憶したユーザ登録情報記憶手段と、通信履歴情報を記憶した通信履歴情報記憶手段を備えた通信端末装置において、
所定のユーザ識別情報が入力され、情報消去が指令されたときには、上記通信履歴情報記憶手段の一覧情報をユーザへ表示し、消去対象の通信履歴情報を選択させ、その選択された通信履歴情報を消去することを特徴とする通信端末装置。
【請求項６】
前記通信履歴情報を消去するとき、その消去対象の通信履歴情報を所定の待避領域へ待避させることを特徴とする請求項３または請求項４または請求項５記載の通信端末装置。
【発明の詳細な説明】
【技術分野】
【０００１】
本発明は、ユーザ登録情報を記憶したユーザ登録情報記憶手段と、通信履歴情報を記憶した通信履歴情報記憶手段を備えた通信端末装置に関する。
【背景技術】
【０００２】
従来、ファクシミリ装置等の通信端末装置では、ワンタッチダイアル情報等のユーザ登録情報や、通信履歴情報を記憶して、種々の用途に使用している。
【０００３】
ところで、通信端末装置の譲渡や破棄を行う場合、相手先情報等の重要な情報が流出しない様に、セキュリティの観点から登録済みデータを消去したいという要望が高まっている。現状、登録済みデータの消去はユーザーが行う事も可能であるが、その操作は複雑であり、操作マニュアルを参照しても必ず消し忘れの項目が発生するので完全にデータを消去する事が出来ない。また、登録された情報を一括で消去する手段も用意されているが、誤操作防止のためにサービス担当でないと操作出来ないレベルにその手段が隠されているために、一括消去出来ない様になっている。
【０００４】
この様な問題を解決するために、例えば、ユーザーが登録した複数のデータを予め複数のグループ(相手先番号群、ＩＤ群等)に分類し、それぞれのグループについて予め定められた操作により一括消去出来る様にし、ユーザーが容易に登録済み全データを消去出来る様にする方法が考案されている（特許文献１参照）。
【特許文献１】特開２００１−１８６２３９号公報
【発明の開示】
【発明が解決しようとする課題】
【０００５】
しかしながら、登録済みデータを容易に消去出来ても、通信などの履歴は残るために完全にはデータを消去する事が出来ない、また、容易に消去出来るようにしてしまうと誤操作を招き、誤ってデータを消去してしまうという不具合を生じるおそれがある。
【０００６】
本発明は、かかる実情に鑑みてなされたものであり、譲渡や破棄の際の作業の手間を大幅に軽減することのできる通信端末装置を提供すること目的とする。
【課題を解決するための手段】
【０００７】
本発明は、ユーザ登録情報を記憶したユーザ登録情報記憶手段と、通信履歴情報を記憶した通信履歴情報記憶手段を備えた通信端末装置において、所定のユーザ識別情報が入力され、情報消去が指令されたときには、上記通信履歴情報記憶手段に記憶した全ての通信履歴情報を消去するようにしたものである。
【０００８】
また、ユーザ登録情報を記憶したユーザ登録情報記憶手段と、通信履歴情報を記憶した通信履歴情報記憶手段を備えた通信端末装置において、所定のユーザ識別情報が入力され、情報消去が指令されたときには、上記ユーザ登録情報記憶手段に記憶した全てのユーザ登録情報、および、上記通信履歴情報記憶手段に記憶した全ての通信履歴情報を消去するようにしたものである。
【０００９】
また、ユーザ登録情報を記憶したユーザ登録情報記憶手段と、通信履歴情報を記憶した通信履歴情報記憶手段を備えた通信端末装置において、所定のユーザ識別情報が入力され、上記通信履歴情報記憶手段に記憶した通信履歴情報が選択され、情報消去が指令されたときには、その選択された通信履歴情報を、上記通信履歴情報記憶手段から消去するようにしたものである。
【００１０】
また、ユーザ登録情報を記憶したユーザ登録情報記憶手段と、通信履歴情報を記憶した通信履歴情報記憶手段を備えた通信端末装置において、所定のユーザ識別情報が入力され、情報消去が指令されたときには、上記ユーザ登録情報記憶手段に記憶した全てのユーザ登録情報、および、上記通信履歴情報記憶手段に記憶した通信履歴情報のうち、消去されたユーザ登録情報に関連するものを消去するようにしたものである。
【００１１】
また、ユーザ登録情報を記憶したユーザ登録情報記憶手段と、通信履歴情報を記憶した通信履歴情報記憶手段を備えた通信端末装置において、所定のユーザ識別情報が入力され、情報消去が指令されたときには、上記通信履歴情報記憶手段の一覧情報をユーザへ表示し、消去対象の通信履歴情報を選択させ、その選択された通信履歴情報を消去するようにしたものである。
【００１２】
また、前記通信履歴情報を消去するとき、その消去対象の通信履歴情報を所定の待避領域へ待避させるようにしたものである。
【発明の効果】
【００１３】
したがって、本発明によれば、通信端末装置の譲渡や破棄を行う場合、ユーザーは容易に内部情報を消去することができるので、確実に装置内部の重要な情報の流出を防ぎ、セキュリティを確保することが可能となるとともに、ユーザーの満足度と利便性を向上させることができるという効果を得る。
【発明を実施するための最良の形態】
【００１４】
以下、添付図面を参照しながら、本発明の実施の形態を詳細に説明する。
【００１５】
図１は、本発明の一実施例にかかるネットワークシステムを示している。
【００１６】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１７】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１８】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００１９】
また、ネットワークファクシミリ装置ＦＸは、画情報や各種レポートなどを電子メールとしてやりとりするための電子メール処理機能、および、アナログ公衆回線網ＰＳＴＮに接続し、この公衆網を伝送路として用いてグループ３ファクシミリ伝送手順による画情報伝送を行う伝送機能を備えている。
【００２０】
図２は、ネットワークファクシミリ装置ＦＸの構成例を示している。
【００２１】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２２】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２３】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２４】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２５】
網制御装置１１は、このネットワークファクシミリ装置ＦＸをアナログ公衆回線網ＰＳＴＮに接続するためのものであり、自動発着信機能を備えている。
【００２６】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２７】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００２８】
また、網制御装置１１とグループ３ファクシミリモデム１０との間のデータのやりとりは、直接行なわれている。
【００２９】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３０】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３１】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００３２】
また、本実施例では、ネットワークファクシミリ装置ＦＸは、少ないダイアルキー操作で宛先を指定することができる短縮ダイアル機能、および、１つのキー操作で宛先を指定することができるワンタッチダイアル機能を備えている。
【００３３】
この短縮ダイアル機能で参照される短縮ダイアル情報、および、ワンタッチダイアル機能で参照されるワンタッチダイアル情報は、図３（ａ）に示すように、ユーザにより登録操作され、ユーザ登録情報として、パラメータメモリ３に保存される。また、管理者等をあらわす特定ユーザＩＤ（識別情報）、自端末のマシン名、自端末のＴＴＩ（送信端末識別情報）、あるいは、自端末の電話番号等のそれ以外のユーザ登録情報も登録されている。
【００３４】
また、ネットワークファクシミリ装置ＦＸは、通信のたびに通信履歴情報を作成し、同図（ｂ）に示すような通信履歴テーブルに保存している。この通信履歴テーブルは、例えば、パラメータメモリ３に保存される。
【００３５】
また、おのおのの通信履歴情報は、ファイル番号、通信日時、通信モード（送受信の区別、使用された通信手段の区別等）、相手先情報、画情報モード（線密度等）、および、ページ数からなる。
【００３６】
さて、本実施例では、通信履歴情報とユーザ登録情報を一括して消去することができる。
【００３７】
例えば、操作表示部７に図４（ａ）に示すような待機画面が表示されている状態で、操作表示部７を適宜に操作し、ユーザがデータ一括消去を選択し、特定ユーザＩＤを入力すると、同図（ｂ）に示すようなデータ一括消去の画面が表示される。
【００３８】
ここで、ユーザが「０１．通信履歴のみ」を選択すると、同図（ｃ）に示すような通信履歴一括消去の確認画面が表示され、消去するか否かの確認が要求される。この画面から、ユーザが「はい」を選択すると、通信履歴テーブルに保存されていた全ての通信履歴情報が消去され、同図（ｄ）に示したようなメッセージが表示される。
【００３９】
また、同図（ｂ）の画面で、「０２．通信履歴とユーザ登録情報」が選択された場合には、通信履歴テーブルに保存された全ての通信履歴情報と、短縮ダイアル情報、ワンタッチダイアル情報、および、その他のユーザ登録・設定情報の全てが消去される。
【００４０】
また、検索条件を入力して、通信履歴情報を選択的に消去することもできる。
【００４１】
その場合、操作表示部７に図５（ａ）に示すような待機画面が表示されている状態で、操作表示部７を適宜に操作し、ユーザが通信履歴検索消去を選択し、特定ユーザＩＤを入力すると、同図（ｂ）に示すような通信履歴検索条件の入力画面が表示される。
【００４２】
ここで、「０１．通信相手先」が選択されると、同図（ｃ）に示すような通信相手先の入力画面が表示され、ユーザは、適宜に所望する通信相手先の名称の一部の文字列を入力する。すると、同図（ｄ）に示すような確認画面が表示されるので、入力内容が正しければ、ユーザは「ＹＥＳ」キーをオン操作する。
【００４３】
これにより、通信履歴テーブルに保存されている通信履歴情報のうち、入力された通信相手先の名称の一部に、相手先情報の内容が一致するものが選択されて、同図（ｅ）に示すように通信履歴検索結果の表示画面に表示される。
【００４４】
ユーザは、この画面を参照し、消去を希望する対象を選択すると、同図（ｆ）に示すような通信履歴消去の確認画面が表示され、この画面でユーザが「はい」を選択して、「ＹＥＳ」キーをオン操作すると、指定した通信履歴情報が消去され、同図（ｇ）に示すような画面が表示される。
【００４５】
また、例えば、ワンタッチダイアルに登録した宛先を消去した際、それに伴って、当該消去宛先が相手先に指定されている通信履歴情報を消去することができる。
【００４６】
例えば、操作表示部７に図６（ａ）に示すような待機画面が表示されている状態で、操作表示部７を適宜に操作し、ユーザがユーザ登録情報の消去を選択し、特定ユーザＩＤを入力すると、同図（ｂ）に示すようなユーザ登録情報の一覧画面が表示される。
【００４７】
ここで、ユーザが例えば、「０１  ＡＢＣショウカイ」を選択すると、同図（ｃ）に示すような画面になり、「ＹＥＳ」キーをオン操作すると、当該宛先が相手先情報に保存されている通信履歴情報が検索され、同図（ｄ）に示すように、通信履歴検索結果画面に表示される。
【００４８】
ユーザは、この画面を見ながら消去対象を選択し、「ＹＥＳ」キーをオン操作すると、同図（ｅ）に示すような指定ユーザ登録情報＆通信履歴消去画面が表示されるので、この画面でユーザが「はい」を選択して、「ＹＥＳ」キーをオン操作すると、指定したユーザ登録情報と通信履歴情報が消去され、同図（ｆ）に示すような画面が表示される。
【００４９】
ところで、通信履歴検索機能については、他の種々の用途にも採用することができ、複数の情報を一括して指定することができることとなり、ユーザの操作の手間を大幅に軽減することができ、操作性が大幅に向上する。
【００５０】
図７は、通信履歴情報とユーザ登録情報を一括して消去する際の処理の一例を示している。
【００５１】
まず、ユーザがデータ一括処理を選択すると（処理１０１）、ユーザＩＤを入力要求して、ユーザに対してユーザＩＤを入力させる（処理１０２）。次に、入力されたユーザＩＤが、記憶されている特定ユーザＩＤに一致するかどうかを検査し（処理１０３、判断１０４）、一致しない場合で、判断１０４の結果がＮＯになるときには、エラー表示を行って（処理１０５）、このときの処理をエラー終了する。
【００５２】
また、入力されたユーザＩＤが特定ユーザＩＤに一致した場合で、判断１０４の結果がＹＥＳになるときには、データ一括消去画面（図４（ｂ）参照）を表示し（処理１０６）、いずれかの項目が入力されるのを待つ（判断１０７のＮＯループ）。
【００５３】
いずれかの項目が入力され、判断１０７の結果がＹＥＳになると、「０１．通信履歴のみ」が選択されたかどうかを調べ（判断１０８）、判断１０８の結果がＹＥＳになるときには、通信履歴テーブルに保存されている全ての通信履歴情報を消去する（処理１０９）。
【００５４】
また、「０２．通信履歴とユーザ登録情報」が選択された場合で、判断１０８の結果がＮＯになるときには、短縮ダイアル情報、ワンタッチダイアル情報、および、その他のユーザ登録・設定情報の全てを消去し（処理１１０）、処理１０９へ移行して、通信履歴テーブルに保存された全ての通信履歴情報を消去し、この処理を終了する。
【００５５】
図８は、検索条件を入力して、通信履歴情報を選択的に消去する際の処理（通信履歴検索削除処理）の一例を示している。
【００５６】
まず、通信履歴検索削除が選択されると（処理２０１）、ユーザＩＤを入力要求して、ユーザに対してユーザＩＤを入力させる（処理２０２）。次に、入力されたユーザＩＤが、記憶されている特定ユーザＩＤに一致するかどうかを検査し（処理２０３、判断２０４）、一致しない場合で、判断２０４の結果がＮＯになるときには、エラー表示を行って（処理２０５）、このときの処理をエラー終了する。
【００５７】
また、入力されたユーザＩＤが特定ユーザＩＤに一致した場合で、判断２０４の結果がＹＥＳになるときには、通信履歴検索条件入力画面（図５（ｂ）参照）を表示し（処理２０６）、ユーザに検索条件を入力させる。
【００５８】
検索条件が入力されると、そのときに入力された検索条件を用いて、通信履歴テーブルに保存されている通信履歴情報から目的の通信履歴情報を検索し、その検索した通信履歴情報の一覧を表示する（処理２０７）。
【００５９】
次いで、ユーザに消去対象を指定させ、消去する旨の入力がされると、指定された通信履歴情報を通信履歴テーブルより消去する（処理２０８）。
【００６０】
図９は、ユーザ登録情報削除が選択された際の処理の一例を示している。
【００６１】
ユーザがユーザ登録情報削除を選択すると（処理３０１）、ユーザＩＤを入力要求して、ユーザに対してユーザＩＤを入力させる（処理３０２）。次に、入力されたユーザＩＤが、記憶されている特定ユーザＩＤに一致するかどうかを検査し（処理３０３、判断３０４）、一致しない場合で、判断３０４の結果がＮＯになるときには、エラー表示を行って（処理３０５）、このときの処理をエラー終了する。
【００６２】
また、入力されたユーザＩＤが特定ユーザＩＤに一致した場合で、判断３０４の結果がＹＥＳになるときには、ユーザ登録情報を表示して（処理３０６）、消去する項目を選択させる（処理３０７）。
【００６３】
また、消去された選択に対応した通信履歴情報を通信履歴テーブルより検索し（処理３０８）、検索して得た通信履歴情報を、パラメータメモリ３に設けられる待避領域へ待避保存する（処理３０９）。
【００６４】
次いで、処理３０７で選択された項目と、処理３０８で検索して得た通信履歴情報を消去する（処理３１０）。
【００６５】
このようにして、本実施例では、ユーザーは容易に通信履歴やユーザー登録データを削除出来るようになるので、機器の破棄・譲渡の場合、セキュリティを保つことができ、ユーザーの満足度と利便性を向上させることができる。また、削除と同時に他の記憶エリアに削除された通信履歴を保存するので、管理者は消去された通信履歴を管理することが出来、また送信に掛かった料金データを紛失することなく把握することが出来る。
【００６６】
なお、上述した実施例では、ネットワークファクシミリ装置ＦＸに本発明を適用した場合について説明しているが、本発明は、ユーザ登録情報と通信履歴情報を保存する機能を有する他の通信装置についても同様にして適用することができる。
【図面の簡単な説明】
【００６７】
【図１】本発明の一実施例にかかるネットワークシステムを示したブロック図。
【図２】ネットワークファクシミリ装置ＦＸの構成例を示したブロック図。
【図３】ユーザ登録情報、通信履歴テーブル、および、通信履歴情報の一例を示した概略図。
【図４】通信履歴情報とユーザ登録情報を一括して消去する際の表示画面の一例を示した概略図。
【図５】検索条件を入力して、通信履歴情報を選択的に消去する際の表示画面の一例を示した概略図。
【図６】ユーザ登録情報の消去に伴って、通信履歴情報の関連情報を消去する際の表示画面の一例を示した概略図。
【図７】通信履歴情報とユーザ登録情報を一括して消去する際の処理の一例を示したフローチャート。
【図８】検索条件を入力して、通信履歴情報を選択的に消去する際の処理（通信履歴検索削除処理）の一例を示したフローチャート。
【図９】ユーザ登録情報削除が選択された際の処理の一例を示したフローチャート。
【符号の説明】
【００６８】
ＦＸ  ネットワークファクシミリ装置
１  システム制御部
２  システムメモリ
３  パラメータメモリ
７  操作表示部
【図１】
2006080633.tif 000003
【図２】
2006080633.tif 000004
【図３】
2006080633.tif 000005
【図４】
2006080633.tif 000006
【図５】
2006080633.tif 000007
【図６】
2006080633.tif 000008
【図７】
2006080633.tif 000009
【図８】
2006080633.tif 000010
【図９】
2006080633.tif 000011